(57)【特許請求の範囲】
【請求項１】
熱膨張性黒鉛又は熱膨張性ゴム又は熱膨張性樹脂を主材に成形された円筒状本体の長手方向に１本の割り溝を形成すると共にこの割り溝の一方端の入口にＶ字状にカットした配管導入部を形成して成る防火区画貫通部材において、前記配管導入部と反対側の割り溝の入口であって、この割り溝の端縁面の外側に柔軟な配管被覆材の場合にその表面に喰い込むようにして引っ掛けることにより滑りを止め、装着をしやすくするための突起部を形成して成る防火区画貫通部材。
【請求項２】
請求項１に記載の防火区画貫通部材において、前記Ｖ字状の配管導入部のカット面に沿って、滑りを良くしてスムーズに装着するための面取りを施して成る防火区画貫通部材。
【請求項３】
請求項１に記載の防火区画貫通部材において、前記Ｖ字状にカットされた配管導入部と反対側の端縁の外周面に、位置出し用に小径段差部を形成して成る防火区画貫通部材。
【請求項４】
請求項３に記載の防火区画貫通部材において、前記小径段差部に替えて、これと同一位置に位置出し用のテープを捲き付けて成る防火区画貫通部材。
【請求項５】
請求項３に記載の防火区画貫通部材において、前記小径段差部に替えて、これと同一位置に位置出し用に着色を施して成る防火区画貫通部材。
【請求項６】
請求項１に記載の防火区画貫通部材において、その外表面側を軟質熱膨張性黒鉛層又は軟質熱膨張性ゴム又は軟質熱膨張性樹脂層で形成し、内層側を硬質熱膨張性黒鉛層又は硬質熱膨張性ゴム又は熱膨張性樹脂層で形成して成る防火区画貫通部材。
【発明の詳細な説明】
【技術分野】
【０００１】
本発明は、火災発生時に熱膨張して貫通穴を閉塞したり、配管やケーブル等の鞘管を押し潰して火災が防火区画を超えて拡大しないようにするために防火区画を貫通する部分に用いられる部材であって、詳しくはワンタッチで配管や鞘管にスムーズに装着することが出来ると共に施工に際しての位置出しが容易な防火区画貫通部材に関するものである。
【背景技術】
【０００２】
本件出願人は、熱膨張性黒鉛や樹脂を用いて円筒状に貫通部材を成形すると共にこの部材の長手方向に割り溝を入れ、更にこの割り溝の入口にＶ字状に配管導入部を形成することによりワンタッチで配管やケーブル等の鞘管に装着が可能な防火区画貫通部材を特許第３８５３７１８号発明として特許を受け、実用化している。
しかし、この公知例の場合、措置対象物の表面が発泡断熱材等で被覆されていて柔軟性を有するものの場合、装着時に貫通部材側の割り溝の角が被覆の表面に喰い込んで引っ掛かり、スムーズに装着することができないことが多い。
【０００３】
また、表面が硬い配管や鞘管の場合、Ｖ字状の配管導入部の滑りが悪いために強い力で押しつけなければならず、この場合もスムーズに装着できないという問題がある。
また、施工に際しては、壁の貫通穴の外で貫通部材を配管や鞘管に装着したあとで貫通穴内に押し込み、壁面と貫通部材の端面は面一か壁面より少し突出した状態となり、その上で貫通穴と貫通部材間の隙間にモルタル等を充填して措置する必要があるが、現場によっては貫通部材の入口側の端が貫通穴内に少し入り込んでいることがあり、このような状態の場合には前記モルタルの充填を適切に行うことができず、防火性能に悪い影響が出たり、見栄えが悪くなる。このため、モルタルの充填に際しては、いちいち貫通部材の位置調整を行う必要があり、手間がかかる。
【発明の開示】
【発明が解決しようとする課題】
【０００４】
本発明は斯る点に鑑みて提供されるものであって、その目的は、表面が柔軟で引っ掛かり易い配管や鞘管及び表面が滑りにくい配管や鞘管に対してもスムーズに装着することができると共に貫通部材の入口側の端が確実に壁面から少し突き出るように施工することができるワンタッチ装着式の防火区画貫通部材を提供することである。
【課題を解決するための手段】
【０００５】
上記目的を達成するため、請求項１に記載の発明においては、熱膨張性黒鉛又は熱膨張性ゴム又は熱膨張性樹脂を主材に成形された円筒状本体の長手方向に１本の割り溝を形成すると共にこの割り溝の一方端の入口にＶ字状にカットした配管導入部を形成して成る防火区画貫通部材において、前記配管導入部と反対側の割り溝の入口であって、この割り溝の端縁面の外側に柔軟な配管被覆材の場合にその表面に喰い込むようにして引っ掛けることにより滑りを止め、装着をしやすくするための突起部を形成して成ることを特徴とするものである。
この発明によると、軟らかい材質で被覆されたものの上に貫通部材を装着するときに、突起部が被覆の表面に喰い込むようにして引っ掛かることから、割り溝が開き易くなり、装着をスムーズに行うことができる。
【０００６】
更に、請求項２に記載の発明においては、請求項１に記載の防火区画貫通部材において、前記Ｖ字状の配管導入部のカット面に沿って、滑りを良くしてスムーズに装着するための面取りを施して成ることを特徴とするものである。
この発明によると、装着面が滑りにくい対象物に対してもその装着をスムーズに行うことができる。
【０００７】
更に、請求項３に記載の発明においては、請求項１に記載の防火区画貫通部材において、前記Ｖ字状にカットされた配管導入部と反対側の端縁の外周面に、位置出し用に小径段差部を形成して成ることを特徴とするものである。
この発明によると、貫通部材を適切な位置に装着することができる。
【０００８】
更に、請求項４に記載の発明においては、請求項３に記載の防火区画貫通部材において、前記小径段差部に替えて、これと同一位置に位置出し用のテープを捲き付けて成ることを特徴とするものである。
【０００９】
更に、請求項５に記載の発明においては、請求項３に記載の防火区画貫通部材において、前記小径段差部に替えて、これと同一位置に位置出し用に着色を施して成ることを特徴とするものである。
【００１０】
更に、請求項６に記載の発明においては、請求項１に記載の防火区画貫通部材において、その外表面側を軟質熱膨張性黒鉛層又は軟質熱膨張性ゴム又は軟質熱膨張性樹脂層で形成し、内層側を硬質熱膨張性黒鉛層又は硬質熱膨張性ゴム又は熱膨張性樹脂層で形成して成ることを特徴とするものである。
この発明によると、従来の貫通部材に比較して肉厚を薄く形成することが出来ると共に割り溝からの開きが容易で、装着をスムーズに行うことができる。また、一つの貫通穴内に複数本の配管や鞘管を施工したときに、硬質層の部分で互いの干渉を排除して従来のように金属板を貫通部材の表面に張り合わせる必要がなく、コストの低減を図ることができる。
【発明の効果】
【００１１】
本発明は防火区画貫通部材において、以上の構成としたことにより、表面が柔軟で引っ掛かり易い配管や鞘管及び表面が滑りにくい配管や鞘管に対してもスムーズに装着することができると共に貫通部材の入口側の端が確実に壁面から少し突き出るように施工することできるという効果がある。
【発明を実施するための最良の形態】
【００１２】
本発明に係る防火区画貫通部材は、熱膨張性黒鉛、熱膨張性ゴム、熱膨張性樹脂を素材として成形されており、配管や鞘管にワンタッチで装着することができるように、円筒状の本体に一本の割り溝を入れることにより断面Ｃ字状に形成し、装着を行う場合には、この割り溝のところを配管や鞘管の外に押しつけて開き、そのまま外装させるため、全体的には弾性を有することが条件である。
熱膨張率は、火災時に配管及び鞘管を押し潰すだけの力と、この押し潰した状態で貫通穴を完全に閉塞する条件を満たすことが必要であり、この条件は現場の状況に合わせて計算したものが選択される。
【００１３】
貫通部材は、あらかじめ成形されたものの中から、現場の状況に合ったサイズのものを選択して用いるようにしても良いが、大量に同一規格のものを用いる現場においては、それ用のものを特注で製作するようにしても良い。
貫通部材は、真円に近いもの、あるいは割り溝を中央にして左右方向に半径の大きい楕円形状を呈したものでも良い。
【００１４】
熱膨張材は、熱膨張性黒鉛又は熱膨張性ゴム又は熱膨張性樹脂と称されるものを用いることができ、その成分と成分比（重量％）の一例を次に示す。
無機膨張材          ２０％
ポリエチレン樹脂    ５０％
臭素系難燃剤        ３０％
【００１５】
上記熱膨張性黒鉛又は熱膨張性ゴム又は熱膨張性樹脂は、熱膨張以下の温度で溶融したものを射出成形機にかけて円筒状に形成するもので、この射出成形には、通常の熱可塑性樹脂の成形に用いられる押出機（シリンダー）と金型を用いることができる。
【００１６】
円筒体に形成する割り溝の幅は、装着したときに配管等の外径により拡がることを前提に、最小に形成しておくことが望ましい。但し、装着したときに、この割り溝があまり拡がりすぎると性能が出ないことが懸念されるので、大きさの違う規格のものを数種類用意することが必要になる場合もある。但し、この問題は、円筒状本体をあらかじめ楕円形に形成しておくことにより、緩和できる。
【００１７】
割り溝の入口に設ける配管導入部としての斜めのカットは、直線的でも良いし、多少円弧状になっていても良い。又、この斜めのカットは、入口の片方の角をカットした直角三角形状としても良いし、両方の角をカットして二等辺三角形状となるように形成しても良い。
本発明において、この双方のカット形状をＶ字状と称す。また、カットは、割り溝の入口の片方だけ、又は可能な場合は双方に形成して、どちらからでも装着したり取り外したりすることができるように形成しても良い。
【実施例１】
【００１８】
図１〜図３に基づいて請求項１〜４に記載した本発明に係る防火区画貫通部材の実施例を詳述する。この図１〜図３において、１は防火区画貫通部材を示し、この貫通部材１は、円筒状に形成された本体２と、この本体２の長手方向に形成された割り溝３と、割り溝３の一方の入口側に形成されたＶ字状の配管導入部４と、前記配管導入部４の反対側の入口部分において、割り溝３の端面３ａの外側に向けて形成された突起部５と、前記配管導入部４の端面に沿って形成された面取り６と、前記配管導入部４の反対側の本体２の外周面２ａであって、本体２の端から少し入ったところまで形成された小径段差部７とから成る。
【００１９】
上記構成の防火区画貫通部材１は、熱膨張性黒鉛を材料にして一体に射出成形されており、本体２の長さは７０ｍｍ、内径４６ｍｍ、外径５１ｍｍ、配管導入部４のＶ字状の長さ４０ｍｍ、小径段差部７の段差０．２ｍｍ、幅１０ｍｍ、突起部５の長さ２０ｍｍ、突出量（幅）２．５ｍｍ、厚さ２．５ｍｍである。
但し、これらの寸法は一例であって、措置する対象物に応じてその寸法は任意に決定される。
【００２０】
次に、上記構成の防火区画貫通部材１の装着例であって、突起部５を用いて行う装着例を図４〜図６に基づいて詳述する。図４は熱媒チューブ８の外側に発泡体から成る断熱被覆９が行われていて、この断熱被覆９の表面が軟らかい状態のものに防火区画貫通部材１を装着した状態を示すものである。このように装着するには、先ず図５に示すように被覆９の外に突起部５側の開先を上から斜めに押し当てると、被覆９の表面に喰い込んで止まり、一方の角３ｂは図６において矢印ａ方向に滑り落ち、最終的には図４のように被覆９を抱き込むようにして装着される。この作用としては、突起部５は片側だけでも十分であるが、割り溝３の両側に形成しても良い。
【００２１】
本実施例１によると、断熱材等により被覆（配管）９に対する防火区画貫通部材１の装着を小さな力でスムーズに行うことができると共に被覆９の表面に傷をつけることもない。
【実施例２】
【００２２】
次に、上記防火区画貫通部材１の装着例であって、配管導入部４を用いて行う装着例を図７に基づいて詳述する。この配管導入部４の場合、図２、図３で明らかなように、配管導入部４には面取り６が施されているため、図７に示すように配管導入部４をケーブル１１の鞘管１０に装置するために配管導入部４を鞘管１０に強く押し当てると、面取り６の作用で鞘管１０の表面を滑り、割り溝３が開いてスムーズに図４の状態に装着することができる。
このように面取り６の作用は、滑りの作用を意図しているため、表面にザラつきや凹凸のある鞘管等において有効であるが、実施例１で説明した軟らかい外表面を持った断熱被覆９の場合等も有効である。
【実施例３】
【００２３】
次に、上記防火区画貫通部材１の装着例であって、この貫通部材１を防火区画壁の壁面から少し突き出た状態で施工することにより、モルタル１４で措置をしやすくする例を図８に基づいて詳述する。図８において、１２は防火区画壁、１３は貫通穴であって、防火区画貫通部材１を鞘管１０に装着し、これを貫通穴１３内にスライドさせるときに、小径段差部７が壁面１２ａから外に残る位置までとする。
このようにすると、貫通穴１３内にモルタル１４を充填するときに小径段差部７が壁面１２ａから少し突出しているために、この小径段差部７の作用でモルタル１４が防火区画貫通部材１内に入らない。この結果、鞘管１０を汚したりせず、見栄えが良く、また防火性能にも悪い影響が出ない。
【００２４】
なお、本実施例３では、小径段差部７の作用で防火区画貫通部材１の突出量の目安を決めていたが、図９に示すように、小径段差部７ではなく、易剥離性のテープ１５を貼りつけたり、着色剤を塗布することにより位置決めの目安としてもよい。
【実施例４】
【００２５】
次に、防火区画貫通部材１の材質構成において、この柔軟性を高めて装置をしやすくするためと、一つの貫通穴１３内に複数本の配管を通し、これにそれぞれ防火区画貫通部材１を装着した場合に、火災時においてそれぞれの防火区画貫通部材１が熱膨張し、互いに干渉して性能が発揮されない場合があるため、それぞれの防火区画貫通部材１の表面に金属板を張ることで独立させて性能を発揮することができるようにした発明について本件出願人は特許を得ている（特許第３８５３７１８号）。
この金属板利用と同等の性能を発揮させるために、内層に黒鉛の量を通常よりも多く混入して外層側よりも硬質とした防火区画貫通部材１を得た。このようにすることで、金属板を張る場合に比較してコストの低減が可能となる。
【図面の簡単な説明】
【００２６】
【図１】本発明に係る防火区画貫通部材の側面図
【図２】本発明に係る防火区画貫通部材において、配管導入部側から見た正面図
【図３】本発明に係る防火区画貫通部材において、割り溝側から見た底面図
【図４】配管に本発明に係る防火区画貫通部材を装着した状態の説明図
【図５】配管に本発明に係る防火区画貫通部材を装着している状態の説明図
【図６】配管に本発明に係る防火区画貫通部材を装着している状態の説明図
【図７】実施例２の説明図
【図８】実施例３の説明図
【図９】実施例４の説明図
【符号の説明】
【００２７】
１  防火区画貫通部材
２  本体
３  割り溝
４  配管導入部
５  突起部
６  面取り
７  小径段差部
【図１】
0004982433.tif 000002
【図２】
0004982433.tif 000003
【図３】
0004982433.tif 000004
【図４】
0004982433.tif 000005
【図５】
0004982433.tif 000006
【図６】
0004982433.tif 000007
【図７】
0004982433.tif 000008
【図８】
0004982433.tif 000009
【図９】
0004982433.tif 000010